(57)【要約】      （修正有）【課題】窓枠や浴室枠等のサッシを固定するに当り、使用するプラスターボードの肉厚に応じて容易に取り付けることができ、しかも木製下地材の固定作業を容易にした建物用戸枠及び窓枠材を提供する。【解決手段】長尺の板状をなす枠構成部材１を硬質発泡合成樹脂で形成し、枠構成部材１の内側面の片側長手方向に沿って窓枠や浴室枠等のサッシＳを固定する切欠部２を設け、且つ枠構成部材１の外側面の長手方向に沿って、肉厚が９ｍｍのプラスターボードＰ１が嵌入する深い条溝３Ａと、肉厚が１２ｍｍのプラスターボードＰ２が嵌入する浅い条溝３Ｂとを共通の条溝内に段状を成して形成すると共に、該条溝３Ａ、３Ｂの外端縁５を枠構成部材１の平面１ａよりも高く突出した延長部５ａを形成し、該延長部５ａを有する外端縁５の内側面６を平状にしたものである。【選択図】図２
0003145195.tif 000002
【実用新案登録請求の範囲】
【請求項１】
長尺の板状をなす枠構成部材を硬質発泡合成樹脂で形成し、枠構成部材の内側面の片側長手方向に沿って窓枠や浴室枠等のサッシを固定する切欠部を設け、且つ枠構成部材の外側面の長手方向に沿って、肉厚が９mmのプラスターボードが嵌入する深い条溝と、肉厚が１２mmのプラスターボードが嵌入する浅い条溝とを共通の条溝内に段状を成して形成すると共に、該条溝の外端縁を枠構成部材の平面よりも高く突出した延長部を形成し、該延長部を有する外端縁の内側面を平状にしたことを特徴とする建物用戸枠及び窓枠材。
【請求項２】
枠構成部材の切欠部が形成された部位の反対側縁部に沿って凹溝が形成されていることを特徴とする請求項１記載の建物用戸枠及び窓枠材。
【考案の詳細な説明】
【技術分野】
【０００１】
本考案は、窓枠や浴室枠等のサッシを固定する枠構成部材に、異なる肉厚のプラスターボードを取り付けることができる建物用戸枠及び窓枠材に関する。
【背景技術】
【０００２】
窓枠や浴室枠等のサッシを固定する従来の枠構成部材１１は、図５及び図６に示すように、正面１１ａから外側面１１ｂ側に段部１２を設け、内側面１１ｃの後端に窓枠や浴室枠等のサッシＳに固定する切欠部１３を設けたものである。
【０００３】
従って、上記の枠構成部材１１を用いて施行するには、この枠構成部材１１で形成した左右枠部材及び上下枠部材を図６に示すようにサッシＳに固定した後、使用するプラスターボードＰの肉厚に合わせて、その都度寸法を測定して木製下地材Ｋの固定位置を決定しなければならないため、その作業は非常に面倒であり、作業能率が低下する等の欠点があつた。
【０００４】
また、従来の技術として、特許文献１には、「サッシ用見切材及びサッシ構造」が記載されている。この文献の構造は、窓用サッシと内装ボードからなる窓枠材との間に介挿されるサッシ用見切材、及びこのサッシ用見切材を用いたサッシ構造に関するものであるが、サッシ用見切材に形成した窓枠材支持部をなす溝形状に窓枠材の内装ボードを介挿して支持する構造とし、窓枠材支持部の溝幅が一定とされているため、異なる厚さの内装ボードを取付けることができないという不都合があった。
【特許文献１】特開２００２−３０９８５７号公報
【考案の開示】
【考案が解決しようとする課題】
【０００５】
本考案は、上記の事情に鑑みてなされたものであり、窓枠や浴室枠等のサッシを固定する枠構成部材にプラスターボードを固定する際、使用するプラスターボードの肉厚に応じて容易に取り付けることができ、しかも木製下地材の固定作業を簡単かつ容易にすることができるようにした建物用戸枠及び窓枠材を提供することを目的とする。
【課題を解決するための手段】
【０００６】
上記の目的を達成するために、本考案における請求項１の建物用戸枠及び窓枠材は、長尺の板状をなす枠構成部材を硬質発泡合成樹脂で形成し、枠構成部材の内側面の片側長手方向に沿って窓枠や浴室枠等のサッシを固定する切欠部を設け、且つ枠構成部材の外側面の長手方向に沿って、肉厚が９mmのプラスターボードが嵌入する深い条溝と、肉厚が１２mmのプラスターボードが嵌入する浅い条溝とを共通の条溝内に段状を成して形成すると共に、該条溝の外端縁を枠構成部材の平面よりも高く突出した延長部を形成し、該延長部を有する外端縁の内側面を平状にしたことを特徴とする。
【０００７】
また、本考案における請求項２の建物用戸枠及び窓枠材は、請求項１において、枠構成部材の切欠部が形成された部位の反対側縁部に沿って凹溝が形成されていることを特徴とする。
【考案の効果】
【０００８】
本考案によれば、肉厚９mmのプラスターボードと、肉厚１２mmのプラスターボードの取付け施工に際して、この２種の肉厚を有するプラスターボードの肉厚と合致する深い条溝又は浅い条溝に合わせて嵌合し、固定すればよいため、その取付け作業は極めて容易となる。さらに、いずれの厚さのプラスターボードであっても、プラスターボードの先端角部を外端縁の延長部の内側面に当てた状態で挿入することにより、プラスターボードの厚さに応じて、浅い条溝又は深い条溝のいずれかに容易に差し込むことができ、プラスターボードの取付け作業の効率化を図ることが可能となり、併せて木製下地材の取付け位置も定まり、その固定作業も容易となる。
【０００９】
また、本考案において、枠構成部材の切欠部が形成された部位の反対側縁部に沿って凹溝が形成されているため、この凹溝によって、サッシ等に発生した結露を受け止めることができ、後述する木製下地材の腐食やプラスターボードへ結露が侵入することを防止することが可能となる。
【考案を実施するための最良の形態】
【００１０】
以下、本考案の実施例について図面を参照しながら説明する。
【実施例１】
【００１１】
本実施例による枠構成部材１は、図１に示すように長尺の板状をなし、硬質発泡塩化ビニール樹脂の押出成形によって形成することができる。この枠構成部材１には、その内側面の片側長手方向に沿って窓枠や浴室枠等のサッシＳを固定するための切欠部２が設けられている。この切欠部２は、例えば、図２に示すように、サッシＳの枠縁を固定するために形成されたものであり、この切欠部２にサッシＳを固定するには、不図示の釘や木ネジ等を使用することとなる。
【００１２】
また、図２に示すように、枠構成部材１の外側面の長手方向に沿って、肉厚が９mmのプラスターボードＰ１が嵌入する深い条溝３Ａと、肉厚が１２mmのプラスターボードＰ２が嵌入する浅い条溝３Ｂとが共通の条溝内に段状３ｃを成して形成されている。従って、これらの条溝３Ａ、３Ｂの内部には、９mm厚さのプラスターボードＰ１、または１２mm厚さのプラスターボードＰ２のいずれかを嵌合することが可能となる。
【００１３】
さらに、図２に示すように、枠構成部材１に設けた条溝３Ａ、３Ｂの外端縁５を枠構成部材１の平面１ａよりも高く突出させた延長部５ａとして形成すると共に、外端縁５の内側面６を平状にした構成としている。
【００１４】
このような構成により、条溝３Ａ、３Ｂ内にプラスターボードＰ１又はＰ２を差し込む際、厚さ９mmまたは１２mのプラスターボードＰ１、Ｐ２のいずれの厚さのプラスターボードであっても、プラスターボードＰ１又はＰ２の先端角部７を外端縁５の延長部５ａの内側面６に当てた状態で挿入することにより、プラスターボードＰ１又はＰ２の厚さに応じて、浅い条溝３Ｂか、又は深い条溝３Ａかのいずれかに嵌合し、プラスターボードＰ１又はＰ２を条溝３Ａ又は３Ｂへ差し込む際の作業効率を向上することが可能となる。
【００１５】
また、本実施例において、図２に示すように、上記の枠構成部材１の切欠部２が形成された部位の反対側縁部に沿って凹溝４が形成され、この凹溝４によって、サッシＳ等に発生した結露を受け止めることができ、後述する木製下地材８の腐食やプラスターボードＰ１又はＰ２へ結露が侵入することを防止することが可能となる。
【００１６】
次に、本考案に係る枠構成部材１を使用した施行状態について説明する。図３（ａ）、（ｂ）は、肉厚９mmのプラスターボードＰ１を取り付ける場合の施工方法である。そのために、枠構成部材１を所望の長さに切断して左右枠部材１Ａ、１Ｂ及び上下枠部材１Ｃ、１Ｄを形成する。そして、図３（ａ）に示すように、まず左右枠部材１Ａ、１Ｂをサッシの左右枠縁Ｓ１、Ｓ２に固定した後、図３（ｂ）に示すように、上下枠部材１Ｃ、１Ｄをサッシの上下枠縁Ｓ３、Ｓ４に固定する。この際の固定には釘、木ネジ等を使用するとよい。
【００１７】
次に、固定した左右枠部材１Ａ、１Ｂ及び上下枠部材１Ｃ、１Ｄに設けた深い条溝３Ａに沿って木製下地材８を固定した後、肉厚が９mmのプラスターボードＰ１の一端を深い条溝３Ａに挿込んで装着する。この際、プラスターボードＰ１の先端角部７を外端縁５の延長部５ａの内側面６に当てた状態で挿入することにより、深い条溝３Ａに容易に嵌合することができる。
【００１８】
さらに、図４（ａ）、（ｂ）は、１２mm厚さのプラスターボードＰ２を取り付ける場合の施工方法である。上記と同様に、枠構成部材１を所望の長さに切断して左右枠部材１Ａ、１Ｂ及び上下枠部材１Ｃ、１Ｄを形成し、図４（ａ）に示すように、まず左右枠部材１Ａ、１Ｂをサッシの左右枠縁Ｓ１、Ｓ２に固定した後、図４（ｂ）に示すように、上下枠部材１Ｃ、１Ｄをサッシの上下枠縁Ｓ３、Ｓ４に固定する。この際の固定においても、釘、木ネジ等を使用するとよい。
【００１９】
そして、固定した左右枠部材１Ａ、１Ｂ及び上下枠部材１Ｃ、１Ｄに設けた浅い条溝３Ｂに沿って木製下地材８を固定した後、肉厚が１２mmのプラスターボードＰ２の一端を浅い条溝３Ｂに挿込んで装着する。この際においても、プラスターボードＰ２の先端角部７を外端縁５の延長部５ａの内側面６に当てた状態で挿入することにより、浅い条溝３Ｂに容易に嵌合することができる。
【００２０】
以上のように、本実施例においては、施行に際し、左右枠部材１Ａ、１Ｂ及び上下枠部材１Ｃ、１Ｄに木製下地材８を固定する際、使用するプラスターボードの肉厚と合致する深い条溝３Ａ、又は浅い条溝３Ｂに合わせて固定すればよいため、その作業は極めて容易であり、それに枠構成部材１は肉厚を厚く形成してあるので木製下地材８を確実に固定することができる。
【産業上の利用可能性】
【００２１】
本考案の建物用戸枠及び窓枠材は、上記の事情に鑑みてなされたものであり、窓枠や浴室枠等のサッシを固定する枠構成部材にプラスターボードを固定する際、使用するプラスターボードの肉厚に応じて取り付けることができ、しかも木製下地材の固定作業を簡単かつ容易にすることができるようにした建物用戸枠及び窓枠材として利用可能である。
【図面の簡単な説明】
【００２２】
【図１】本考案に係る枠構成部材の斜視図である。
【図２】本考案に係る枠構成部材の断面状況を示し、図１のＡ−Ａ線断面図である。
【図３】本考案による枠構成部材に９mm厚さのプラスターボードを取り付ける場合の中央部を欠如した断面図であり、(ａ)は左右枠部材に取り付ける場合、(ｂ)は上下枠部材に取り付ける場合を示す。
【図４】本考案による枠構成部材に１２mm厚さのプラスターボードを取り付ける場合の中央部を欠如した断面図であり、 (ａ)は左右枠部材に取り付ける場合、(ｂ)は上下枠部材に取り付ける場合を示す。
【図５】従来の枠材を示す部分斜視図である。
【図６】従来の枠材の取付施工を示す断面図である。
【符号の説明】
【００２３】
１  枠構成部材
１ａ  枠構成部材の平面
１Ａ、１Ｂ  左右枠部材
１Ｃ、１Ｄ  上下枠部材
２  切欠部
３Ａ  深い条溝
３Ｂ  浅い条溝
３ｃ  条溝の段状
４  凹溝
５  外端縁
５ａ  延長部
６  内側面
７  先端角部
８  木製下地材
Ｐ１  肉厚９mmのプラスターボード
Ｐ２  肉厚１２mmのプラスターボード
Ｓ  サッシ
Ｓ１、Ｓ２  サッシの左右枠縁
Ｓ３、Ｓ４  サッシの上下枠縁
【図１】
0003145195.tif 000003
【図２】
0003145195.tif 000004
【図３】
0003145195.tif 000005
【図４】
0003145195.tif 000006
【図５】
0003145195.tif 000007
【図６】
0003145195.tif 000008